(57)【特許請求の範囲】
【請求項１】
屋根部及び側壁部の少なくとも一部を透明フィルムの複数層構造とすることで各透明フィルム相互間に断熱空間部を形成し、該断熱空間部内に遮光のためのミストを供給するミスト発生装置を備えることを特徴とする農業用ハウス。
【請求項２】
請求項１記載の農業用ハウスにおいて、
前記透明フィルムは２層構造であることを特徴とする農業用ハウス。
【請求項３】
請求項２記載の農業用ハウスにおいて、
前記側壁部の断熱空間部内と屋根部の断熱空間部内とが連通され、
前記屋根部の断熱空間部の上部には外気と連通する開閉自在な通気口を備えることを特徴とする農業用ハウス。
【請求項４】
請求項２に記載の農業用ハウスにおいて、
前記側壁部の断熱空間部内と屋根部の断熱空間部内とが連通され、
前記屋根部には、断熱空間部内の換気を行う換気装置を備えることを特徴とする農業用ハウス。
【請求項５】
請求項３又は４に記載の農業用ハウスにおいて、
前記屋根部の断熱空間部は中央が高い断面略三角形又はドーム状に形成され、
前記屋根部における内側の透明フィルムの少なくとも一部が開閉自在に形成されていることを特徴とする農業用ハウス。
【請求項６】
請求項１〜５のいずれか１項に記載の農業用ハウスにおいて、
前記断熱空間部内に冷風を供給する冷房装置を備えることを特徴とする農業用ハウス。
【請求項７】
請求項１〜５のいずれか１項に記載の農業用ハウスにおいて、
前記断熱空間部内に温風を供給する暖房装置を備えることを特徴とする農業用ハウス。
【発明の詳細な説明】
【技術分野】
【０００１】
本発明は、農業用ハウスに関する。
【背景技術】
【０００２】
従来、農業用ハウスとして、屋根面や側壁面を透明フィルム２層構造とし、外装透明フィルムと内装透明フィルムとの間に断熱空間部を形成して、ハウス内の断熱効果を高めて冷房や暖房費の省エネ化を図った２層構造の農業ハウスが知られている・・・従来例１（特許文型１参照）。
更に、２重に配設した透明フィルムの断熱空間部内に温風を供給して加熱することにより、結露を防止すると共に、屋根に積もった雪を滑落させるようにした農業用ハウスが知られている・・・従来例２（特許文献２参照）。
【先行技術文献】
【特許文献】
【０００３】
【特許文献１】特許第２６２７７６１号公報
【特許文献２】特開２００８−７２９８０号公報
【発明の概要】
【発明が解決しようとする課題】
【０００４】
従来例の農業用ハウスにあっては、透明フィルムの２層構造により断熱空間部を形成して断熱効果を高め、更に断熱空間内に熱風を供給して加熱することにより、結露を防止すると共に、屋根に積もった雪を滑落させることはできるが、透明フィルムは太陽光の透過率が高いため、透明フィルムを透過する太陽光の輻射熱により、ハウス内の温度上昇を抑えることができないという問題がある。
そこで、ハウス内に冷気を供給する冷房装置を備えることで、ハウス内の温度上昇をある程度抑えることは可能であるが、冷房費によるランニングコストが高くつくという問題がある。
また、
【０００５】
本発明の解決しようとする課題は、ランニングコストの高い冷房装置によりハウス内全体を冷却することなしに透明フィルムを透過する太陽光の輻射熱によるハウス内の温度上昇を抑えることができる農業用ハウスを提供することにある。
【課題を解決するための手段】
【０００６】
上記課題を解決するため請求項１記載の農業用ハウスは、屋根部及び側壁部の少なくとも一部を透明フィルムの複数層構造とすることで各透明フィルム相互間に断熱空間部を形成し、該断熱空間部内に遮光のためのミストを供給するミスト発生装置を備えることを特徴とする手段とした。
【０００７】
また、請求項２記載の農業用ハウスは、請求項１記載の農業用ハウスにおいて、
前記透明フィルムは２層構造であることを特徴とする手段とした。
【０００８】
また、請求項３記載の農業用ハウスは、請求項２記載の農業用ハウスにおいて、
前記側壁部の断熱空間部内と屋根部の断熱空間部内とが連通され、
前記屋根部の断熱空間部の上部には外気と連通する開閉自在な通気口を備えることを特徴とする手段とした。
【０００９】
また、請求項４記載の発農業用ハウスは、請求項２に記載の農業用ハウスにおいて、
前記側壁部の断熱空間部内と屋根部の断熱空間部内とが連通され、
前記屋根部には、断熱空間部内の換気を行う換気装置を備えることを特徴とする手段とした。
【００１０】
また、請求項５記載の発農業用ハウスは、請求項３又は４に記載の農業用ハウスにおいて、
前記屋根部の断熱空間部は中央が高い断面略三角形又はドーム状に形成され、
前記屋根部における内側の透明フィルムの少なくとも一部が開閉自在に形成されていることを特徴とする手段とした。
【００１１】
また、請求項６記載の農業用ハウスは、請求項１〜５のいずれか１項に記載の農業用ハウスにおいて、
前記断熱空間部内に冷風を供給する冷房装置を備えることを特徴とする手段とした。
【００１２】
また、請求項７記載の農業用ハウスは、請求項１〜５のいずれか１項に記載の農業用ハウスにおいて、
前記断熱空間部内に温風を供給する暖房装置を備えることを特徴とする手段とした。
【発明の効果】
【００１３】
請求項１記載の農業用ハウス明では、上述のように、屋根部及び側壁部の少なくとも一部を透明フィルムの複数層構造とすることで各透明フィルム相互間に断熱空間部を形成し、該断熱空間部内に遮光のためのミストを供給するミスト発生装置を備えたことで、断熱空間部内に供給されたミストによって、ハウス内にそそぐ太陽光が遮光されるため、太陽光の輻射熱によるハウス内の温度上昇を抑えることができるようになるという効果が得られる。
また、断熱空間部内へのミストの供給量を調整することで、太陽光の遮光率を任意の値に調整（低下）することができる。
また、ミストによる気化熱によって断熱空間部内の温度が冷やされるため、ハウス内の温度上昇を抑える効果を更に高めることができるようになる。
また、ハウス内の湿度に影響を与えることなしに気温制御が行えるようになる。
従って、ランニングコストの高い冷房装置によりハウス内全体を冷却することなしに透明フィルムを透過する太陽光の輻射熱によるハウス内の温度上昇を抑えることができるようになるという効果が得られる。
【００１４】
請求項３記載の農業用ハウスでは、上述のように、側壁部の断熱空間部内と屋根部の断熱空間部内とが連通され、屋根部の断熱空間部の上部には外気と連通する開閉自在な通気口を備えることで、必要に応じて側壁部と屋根部の断熱空間部内の熱気を外部へ自然放出させることができるようになる。
【００１５】
請求項４記載の農業用ハウスでは、上述のように、屋根部には、断熱空間部内の換気を行う換気装置を備えることで、必要に応じて側壁部と屋根部の断熱空間部内の熱気を外部へ強制換気させることができるようになる。
【００１６】
請求項５記載の農業用ハウスでは、上述のように、屋根部の断熱空間部は中央が高い断面略三角形又はドーム状に形成され、屋根部における内側の透明フィルムの少なくとも一部が開閉自在に形成されることで、以下の効果が得られる。
まず、請求項３の場合は、必要に応じて内側透明フィルムを開いてハウス室内と断熱空間部内とを連通させ、通気口を開けることで、ハウス内の熱気を外部へ自然放出させることができるようになる。
また、請求項４の場合は、必要に応じて内側透明フィルムを開いてハウス室内と断熱空間部内とを連通させ、換気装置を作動させることで、ハウス内の熱気を外部へ強制換気させることができるようになる。
【００１７】
請求項６記載の農業用ハウスでは、上述のように、断熱空間部内に冷気を供給する冷房装置を備えるため、ミスト供給に変えて冷房装置を作動させることで、太陽光を遮光せずに、断熱空間部内を強制冷却することができるようになる。
【００１８】
請求項７記載の農業用ハウスでは、上述のように、断熱空間部内に熱気を供給する暖房装置を備えるため、ミスト供給に変えて暖房装置を作動させて断熱空間部内に温風を供給することで、透明フィルム内側への結露を防止すると共に、屋根に積もった雪を滑落させることができるようになる。
また、断熱空間部内を暖めることで、間接的にハウス内の温度を上昇させることができるようになる。
【図面の簡単な説明】
【００１９】
【図１】実施例１の農業用ハウスの骨組みを示す左側面図である。
【図２】実施例１の農業用ハウスの骨組みを示す右側面図である。
【図３】実施例１の農業用ハウスの骨組みを示す拡大正面図である。
【図４】実施例１の農業用ハウスの骨組みを示す拡大背面図である。
【図５】実施例１の農業用ハウスを示す図３の中央縦断正面図である。
【図６】実施例１の農業用ハウスにおけるドライミスト装置の配置状態を示す横断平面図である。
【発明を実施するための形態】
【００２０】
以下にこの発明の実施例を図面に基づいて説明する。
【実施例１】
【００２１】
実施例１の農業用ハウスを図面に基づいて説明する。
この実施例１の農業用ハウスの骨組みは、図１〜４に示すように、側壁フレーム１と、屋根フレーム２とで、略家形に形成されている。
なお、側壁フレーム１とは、平面視長方形の農業用ハウスにおける左右両側壁と前後両側壁を含む。
【００２２】
前記側壁フレーム１は、図５に示すように、複数本の側壁内側フレーム１１と複数本の側壁外側フレーム１２とが所定間隔を設けて立設されている。
【００２３】
前記屋根フレーム２は、両側壁内側フレーム１１、１１の上端相互間を水平に連結する複数本の水平フレーム２１と、両側壁外側フレーム１２、１２の上端相互間を略山形に連結する複数本の山形フレーム２２とで構成されている。
なお、この実施例１では、山形フレーム２２は、左右で傾斜が異なり、屋根中央に段差が形成されていて、この段差部が後述する通気口２３を構成する。
【００２４】
また、図５〜７に示すように、側壁内側フレーム１１、１１の内側と水平フレーム２１の外側には内側透明フィルム３が張り付け固定される一方、側壁外側フレーム１２、１２と山形フレーム２２の外側には外側透明フィルム４が張り付けられることで、内側透明フィルム３と外側透明フィルム４との間に断熱空間部５ａ、５ｂが形成された構造になっている。
【００２５】
また、図５に示すように、屋根中央の段差部に形成される通気口２３には、上向きに開閉する開閉扉６が設けられていて、この開閉扉６を開くことで、断熱空間部５ａ、５ｂが外気と連通し、断熱空間部５ａ、５ｂ内の空気の自然換気ができるようになっている。
【００２６】
また、図３、４に示すように、屋根部の断熱空間部５ｂを構成する略三角形状をなした前後面の外側透明フィルム４には、断熱空間部５ａ、５ｂ内の換気を行う吸気側換気扇７と排気側換気扇８を備えていて、断熱空間部５ａ、５ｂ内の空気の強制換気ができるようになっている。
【００２７】
また、図示は省略したが、水平フレーム２１部分の内側透明フィルム３はその一部が開閉自在に形成されることで、ハウス内と屋根部の断熱空間部５ａ内が連通可能になっている。
なお、透明フィルムとしては、ポリオレフィンフィルム等が用いられる。
【００２８】
また、図６に示すように、この農業用ハウスには、断熱空間部５ａ、５ｂ内にミストを供給するミスト発生装置９を備えている。
このミスト発生装置９は、屋根部の断熱空間部５ａ内と側壁部の上端部に複数本配設されたパイプ９１に多数穿孔された吹き出し口から断熱空間部５ａ、５ｂ内全体に均等にミストを噴霧するようになっている。
【００２９】
また、この農業用ハウスには、断熱空間部５ａ、５ｂ内に冷風を供給するヒートポンプで構成される冷房装置１０と、温風を供給する暖房装置１１を備えている。
また、図３に示すように、農業用ハウスの前後両側壁の少なくとも一方には、出入口１２が設けられている。
【００３０】
また、図６に示すように、ハウス内の空気を入れ替える循環扇１３と、風量調整ダンパー１４が備えられている。
【００３１】
次に、この実施例１の効果を説明する。
【００３２】
この実施例１の農業用ハウスでは、上述のように、屋根部及び側壁部を内側透明フィルム３と外側透明フィルム４との２層構造とすることで各透明フィルム３−４相互間に断熱空間部５ａ、５ｂを形成し、該断熱空間部５ａ、５ｂ内にミストを供給するミスト発生装置９を備えたことで、断熱空間部５ａ、５ｂ内に供給されたミストによって、ハウス内にそそぐ太陽光が遮光されるため、太陽光の輻射熱によるハウス内の温度上昇を抑えることができるようになるという効果が得られる。
また、断熱空間部５ａ、５ｂ内へのミストの供給量を調整することで、太陽光の遮光率を任意の値に調整（低下）することができる。
【００３３】
また、ミストによる気化熱によって断熱空間部５ａ、５ｂ内の温度が冷やされるため、ハウス内の温度上昇を抑える効果を更に高めることができるようになる。
また、ハウス内の湿度に影響を与えることなしに気温制御が行えるようになる。
【００３４】
従って、ランニングコストの高い冷房装置によりハウス内全体を冷却することなしに透明フィルム３、４を透過する太陽光の輻射熱によるハウス内の温度上昇を抑えることができるようになるという効果が得られる。
【００３５】
また、側壁部の断熱空間部５ｂ内と屋根部の断熱空間部５ａ内とが連通され、屋根部の断熱空間部５ｂの上部には外気と連通する開閉自在な通気口２３を備えることで、必要に応じて側壁部と屋根部の断熱空間部５ａ、５ｂ内の熱気を外部へ自然放出させることができるようになる。
【００３６】
また、屋根部には、断熱空間部５ａ、５ｂ内の換気を行う吸気側換気装置７と排気側換気装置８を備えることで、必要に応じて側壁部と屋根部の断熱空間部５ａ、５ｂ内の熱気を外部へ強制換気させることができるようになる。
【００３７】
また、屋根部の断熱空間部５ａは中央が高い断面略三角形又はドーム状に形成され、水平フレーム２１部分の内側透明フィルム３はその一部が開閉自在に形成されることで、以下の効果が得られる。
まず、必要に応じて屋根部の内側透明フィルム３を開いてハウス室内と断熱空間部５ａ、５ｂ内とを連通させ、通気口２３を開けることで、ハウス内の熱気を外部へ自然放出させることができるようになる。
また、必要に応じて屋根部の内側透明フィルム３を開いてハウス室内と断熱空間部５ａ、５ｂ内とを連通させ、吸気側換気装置７と排気側換気装置８を作動させることで、ハウス内の熱気を外部へ強制換気させることができるようになる。
【００３８】
また、断熱空間部５ａ、５ｂ内に冷気を供給する冷房装置１０を備えるため、ミスト供給に変えて冷房装置１０を作動させることで、太陽光を遮光せずに、断熱空間部５内を強制冷却することができるようになる。
【００３９】
また、断熱空間部５ａ、５ｂ内に熱気を供給する暖房装置１１を備えるため、ミスト供給に変えて暖房装置１１を作動させて断熱空間部５ａ、５ｂ内に温風を供給することで、内側透明フィルム３内側への結露を防止すると共に、屋根に積もった雪を滑落させることができるようになる。
【００４０】
また、断熱空間部５ａ、５ｂ内を暖めることで、間接的にハウス内の温度を上昇させることができるようになる。
【００４１】
以上本実施例を説明してきたが、本発明は上述の実施例に限られるものではなく、本発明の要旨を逸脱しない範囲の設計変更等があっても、本発明に含まれる。
【００４２】
例えば、実施例では、側壁部の断熱空間部５ｂ内と屋根部の断熱空間部５ａ内とを連通させた例を示したが、側壁部の断熱空間部５ｂ内と屋根部の断熱空間部５ａ内を独立させ、側壁部の断熱空間部５ｂ内と屋根部の断熱空間部５ａ内へのミストの供給もそれぞれ独立して行えるようにしてもよい。
【００４３】
また、実施例では、透明フィルムを２層構造としたが、３層以上としてもよい。
【００４４】
また、実施例では、屋根部を山形にした例を示したが、ドーム状その他任意の形状にすることができる。
【符号の説明】
【００４５】
１  側壁フレーム
１１  側壁内側フレーム
１２  側壁外側フレーム
２  屋根フレーム
２１  水平フレーム
２２  山形フレーム
２３  通気口
３  内側透明フィルム
４  外側透明フィルム
５ａ  屋根部の断熱空間部
５ｂ  側壁部の断熱空間部
６  開閉扉
７  吸気側換気扇
８  排気側換気扇
９  ミスト発生装置
９１  パイプ
１０  冷房装置
１１  暖房装置
１２  出入口
１３  循環扇
１４  風量調整ダンパー
【要約】
【課題】  ランニングコストの高い冷房装置によりハウス内全体を冷却することなしに透明フィルムを透過する太陽光の輻射熱によるハウス内の温度上昇を抑えることができる農業用ハウスの提供。
【解決手段】  屋根部及び側壁部を内側透明フィルム３と外側透明フィルム４との２層構造とすることで各透明フィルム３−４相互間に断熱空間部５を形成し、該断熱空間部５内にドライミストを供給するドライミスト発生装置９を備える。
【選択図】      図５【図１】
0005997855.tif 000002
【図２】
0005997855.tif 000003
【図３】
0005997855.tif 000004
【図４】
0005997855.tif 000005
【図５】
0005997855.tif 000006
【図６】
0005997855.tif 000007